(57)【要約】【課題】上下フラップに結露が発生しにくい空気調和機の室内機を提供する。【解決手段】吹出口１０から吹出される吹出風の風向を上下方向に変更する上下フラップ１２と、前記吹出風の風向を左右方向に変更する左右回転可能な複数の左右フラップ１３と、前記複数の左右フラップ１３を連結固定する連結桟１６を備え、前記連結桟１６の少なくとも両端の近傍を二段折れ形状２３としたもので、上下フラップ１２の上面に吹出風が流れ、上下フラップ１２の上面においては室内空気の巻きこみを防止でき、上下フラップ１２の意匠性を低下させることなく、冷房運転時の結露の発生を防止できる。【選択図】図３
2009109100.tif 000002
【特許請求の範囲】
【請求項１】
吹出口から吹出される吹出風の風向を上下方向に変更する上下フラップと、前記吹出風の風向を左右方向に変更する左右回転可能な複数の左右フラップと、前記複数の左右フラップを連結固定する連結桟を備え、前記連結桟の少なくとも両端の近傍を二段折れ形状としたことを特徴とする空気調和機の室内機。
【請求項２】
吹出口から吹出される吹出風の風向を上下方向に変更する上下フラップと、前記吹出風の風向を左右方向に変更する左右回転可能な複数の左右フラップと、前記複数の左右フラップを連結固定する連結桟を備え、前記連結桟の少なくとも両端の近傍を多段折れ形状としたことを特徴とする空気調和機の室内機。
【請求項３】
吹出口から吹出される吹出風の風向を上下方向に変更する上下フラップと、前記吹出風の風向を左右方向に変更する左右回転可能な複数の左右フラップと、前記複数の左右フラップを連結固定する連結桟を備え、前記連結桟の少なくとも両端の近傍をラウンド形状としたことを特徴とする空気調和機の室内機。
【請求項４】
連結桟の二段折れ形状の部分、又は多段折れ形状の部分又はラウンド形状の部分の上面に横溝を入れたことを特徴とする請求項１〜３のいずれか１項に記載の空気調和機の室内機。
【請求項５】
連結桟の二段折れ形状の部分、又は多段折れ形状の部分又はラウンド形状の部分の上面に縦溝を入れたことを特徴とする請求項１〜３のいずれか１項に記載の空気調和機の室内機。
【請求項６】
連結桟の二段折れ形状の部分、又は多段折れ形状の部分又はラウンド形状の部分の上面にディンプルを形成したことを特徴とする請求項１〜３のいずれか１項に記載の空気調和機の室内機。
【発明の詳細な説明】
【技術分野】
【０００１】
本発明は、空気調和機の室内機に関するもので、特に、吹出風の風向を変更するフラップを有する空気調和機の室内機に関するものである。
【背景技術】
【０００２】
従来、この種の空気調和機の室内機では、吹出口から吹き出される吹出風は、吹出口に設けられた回動可能な上下フラップによって上下方向に吹き分けられる訳であるが、上下フラップの左右両側部においては、吹出風の風量が少なくなっているため、吹出風を上下に偏向させている場合は、上下フラップに沿う流れが弱まるので、側方から室内空気を巻込むことになる。このため冷房運転時の上下フラップの結露を防止するため、吹出口の側部に、吹出風を外側へと案内する吹出風ガイドを形成していた（例えば、特許文献１参照）。
【特許文献１】特開平６−２８８６０５号公報
【発明の開示】
【発明が解決しようとする課題】
【０００３】
しかしながら、前記従来の空気調和機の室内機の構成では、上下フラップに吹出風ガイドを形成するため意匠性を著しく低下させるという課題を有していた。
【０００４】
本発明は、前記従来の課題を解決するもので、上下フラップの意匠性を低下させることなく、結露の発生しにくい空気調和機の室内機を提供することを目的とする。
【課題を解決するための手段】
【０００５】
前記従来の課題を解決するために、本発明の空気調和機の室内機は、吹出口から吹出される吹出風の風向を上下方向に変更する上下フラップと、前記吹出風の風向を左右方向に変更する左右回転可能な複数の左右フラップと、前記複数の左右フラップを連結固定する連結桟を備え、前記連結桟の少なくとも両端の近傍を二段折れ形状としたもので、上下フラップの上面に吹出風が流れ、上下フラップ上面においては室内空気の巻きこみを防止でき、上下フラップの意匠性を低下させることなく、冷房運転時の結露の発生を防止できる。
【０００６】
また、本発明の空気調和機の室内機は、吹出口から吹出される吹出風の風向を上下方向に変更する上下フラップと、前記吹出風の風向を左右方向に変更する左右回転可能な複数の左右フラップと、前記複数の左右フラップを連結固定する連結桟を備え、前記連結桟の少なくとも両端の近傍を多段折れ形状としたもので、上下フラップの上面に吹出風が流れ、上下フラップ上面においては室内空気の巻きこみを防止でき、上下フラップの意匠性を低下させることなく、冷房運転時の結露の発生を防止できる。
【０００７】
また、本発明の空気調和機の室内機は、吹出口から吹出される吹出風の風向を上下方向に変更する上下フラップと、前記吹出風の風向を左右方向に変更する左右回転可能な複数の左右フラップと、前記複数の左右フラップを連結固定する連結桟を備え、前記連結桟の少なくとも両端の近傍をラウンド形状としたもので、上下フラップの上面に吹出風が流れ、上下フラップ上面においては室内空気の巻きこみを防止でき、上下フラップの意匠性を低下させることなく、冷房運転時の結露の発生を防止できる。
【発明の効果】
【０００８】
本発明の空気調和機の室内機は、上下フラップの意匠性を低下させることなく、冷房運
転時の結露の発生を防止できる。
【発明を実施するための最良の形態】
【０００９】
第１の発明は、吹出口から吹出される吹出風の風向を上下方向に変更する上下フラップと、前記吹出風の風向を左右方向に変更する左右回転可能な複数の左右フラップと、前記複数の左右フラップを連結固定する連結桟を備え、前記連結桟の少なくとも両端の近傍を二段折れ形状としたもので、上下フラップの上面に吹出風が流れ、上下フラップ上面においては室内空気の巻きこみを防止でき、上下フラップの意匠性を低下させることなく、冷房運転時の結露の発生を防止できる。
【００１０】
第２の発明は、吹出口から吹出される吹出風の風向を上下方向に変更する上下フラップと、前記吹出風の風向を左右方向に変更する左右回転可能な複数の左右フラップと、前記複数の左右フラップを連結固定する連結桟を備え、前記連結桟の少なくとも両端の近傍を多段折れ形状としたもので、上下フラップの上面に吹出風が流れ、上下フラップ上面においては室内空気の巻きこみを防止でき、上下フラップの意匠性を低下させることなく、冷房運転時の結露の発生を防止できる。
【００１１】
第３の発明は、吹出口から吹出される吹出風の風向を上下方向に変更する上下フラップと、前記吹出風の風向を左右方向に変更する左右回転可能な複数の左右フラップと、前記複数の左右フラップを連結固定する連結桟を備え、前記連結桟の少なくとも両端の近傍をラウンド形状としたもので、上下フラップの上面に吹出風が流れ、上下フラップ上面においては室内空気の巻きこみを防止でき、上下フラップの意匠性を低下させることなく、冷房運転時の結露の発生を防止できる。
【００１２】
第４の発明は、特に、第１〜３のいずれか一つの発明の連結桟の二段折れ形状の部分、又は多段折れ形状の部分又はラウンド形状の部分の上面に横溝を入れたもので、上下フラップの上面への吹出風を流れやすくし、上下フラップ上面においては室内空気の巻きこみを防止でき、上下フラップの意匠性を低下させることなく、冷房運転時の結露の発生を防止できる。
【００１３】
第５の発明は、特に、第１〜３のいずれか一つの発明の連結桟の二段折れ形状の部分、又は多段折れ形状の部分又はラウンド形状の部分の上面に縦溝を入れたもので、上下フラップの上面への吹出風を流れやすくし、上下フラップ上面においては室内空気の巻きこみを防止でき、上下フラップの意匠性を低下させることなく、冷房運転時の結露の発生を防止できる。
【００１４】
第６の発明は、特に、第１〜３のいずれか一つの発明の連結桟の二段折れ形状の部分、又は多段折れ形状の部分又はラウンド形状の部分の上面にディンプルを形成したもので、上下フラップの上面への吹出風を流れやすくし、上下フラップ上面においては室内空気の巻きこみを防止でき、上下フラップの意匠性を低下させることなく、冷房運転時の結露の発生を防止できる。
【００１５】
以下、本発明の実施の形態について、図面を参照しながら説明する。なお、この実施の形態によって本発明が限定されるものではない。
【００１６】
（実施の形態１）
本発明の第１の実施の形態における空気調和機の室内機について、図１〜４を用いて説明する。
【００１７】
図１は、本実施の形態における空気調和機の室内機の概略断面図、図２は、同空気調和
機の室内機の左右フラップの部品図である。
【００１８】
図１に示すように、空気調和機の室内機の本体１は、フアンケース２とスタビライザ３および吸入グリル４からなる送風通路６を備えている。室内空気５は、送風通路６に配備した送風フアン７により、吸入グリル４から吸入され、熱交換器８で熱交換されて送風通路６の下流側のファンケース２とスタビライザ３と左右の側壁９とにより形成された吹出口１０から室内に吹き出される。吹出口１０には、上下方向に風向を調節する上下フラップ１２と、左右方向に風向を調節する左右フラップ１３のそれぞれが設けられている。
【００１９】
図２に示すように、左右フラップ１３は、複数の左右羽根１４と、連結桟１６から構成されている。左右羽根１４のそれぞれには、連結桟１６に設けられた窪み１７に左右羽根１４を嵌め込み左右に移動可能とする羽根軸１８と、スタビライザ３に回転可能に支持固定するための左右フラップ固定穴１９とが設けられている。複数の左右羽根１４は、これらの羽根軸１８で、連結桟１６に結合されている。このようにして、複数の左右羽根１４の内の１枚を左右に動かすと、全部の左右羽根１４を同一方向に動かすことを可能としている。
【００２０】
図３は、左右フラップ１３、上下フラップ１２を送風回路６内に組み込んだ断面図を示すものである。
【００２１】
図３に示す様に、左右フラップ１３は、スタビライザ３に固定された回転軸２０が、左右フラップ固定穴１９に嵌め込まれることにより、所定位置に配置、構成されている。
【００２２】
図４は、連結桟１６の拡大図であり、連結桟１６の左右のそれぞれの端部の近傍には、本体１の内方に向かって延設された二段折れ形状２３が形成されている。
【００２３】
以上のように構成された本実施の形態における空気調和機の室内機について、図３を用いて、その動作、作用を説明する。
【００２４】
送風通路６を流れる吹出し風２１は、二段折れ形状となっている連結桟１６の上面に沿って上向きの気流となり、上下フラップ１２の上面に流れるような上方気流２２を形成し、上下フラップ１２の上面においては、室内空気の巻きこみを防止でき、上下フラップ１２の意匠性を低下させることなく、冷房運転時の結露の発生を防止できる。
【００２５】
図５は、連結桟１６に多段折れ形状２４を形成した他の例を示す連結桟１６の部分拡大図である。
【００２６】
図５に示すように、連結桟１６の形状は、二段折れ形状２３だけでなく、多段折れ形状２４とすることでも、上下フラップ１２の上面に流れるような上方気流２２を形成し、上下フラップ１２の上面においては室内空気の巻きこみを防止でき、上下フラップ１２の意匠性を低下させることなく、冷房運転時の結露の発生を防止できる。
【００２７】
図６は、連結桟１６に断面形状が略円弧状のラウンド形状２５を形成した他の例を示す連結桟１６の部分拡大図である。
【００２８】
連結桟１６の形状は、ラウンド形状２５とすることでも、上下フラップ１２の上面に流れるような上方気流２２を形成し、上下フラップ１２の上面においては、室内空気の巻きこみを防止でき、上下フラップ１２の意匠性を低下させることなく、冷房運転時の結露の発生を防止できる。
【００２９】
図７は、二段折れ形状となっている連結桟１６の上面に横溝２６を形成した他の例を示す連結桟１６の部分拡大図である。
【００３０】
二段折れ形状２３となっている連結桟１６の上面に横溝２６を形成することでも、上下フラップ１２の上面に流れるような上方気流２２の形成を促進する効果があるため、上下フラップ１２の上面においては室内空気の巻きこみを防止でき、上下フラップ１２の意匠性を低下させることなく、冷房運転時の結露の発生を防止できる。
【００３１】
図８は、二段折れ形状となっている連結桟１６の上面に縦溝２７を形成した他の例を示す連結桟１６の部分拡大図である。
【００３２】
二段折れ形状２３となっている連結桟１６の上面に縦溝２７を形成することでも、上下フラップ１２の上面に流れるような上方気流２２の形成を促進する効果があるため、上下フラップ１２の上面においては室内空気の巻きこみを防止でき、上下フラップ１２の意匠性を低下させることなく、冷房運転時の結露の発生を防止できる。
【００３３】
図９は、二段折れ形状となっている連結桟１６の上面にディンプル２８を形成した他の例を示す連結桟１６の部分拡大図である。
【００３４】
二段折れ形状２３となっている連結桟１６の上面にディンプル２８を形成することでも、上下フラップ１２の上面に流れるような上方気流２２の形成を促進する効果があるため、上下フラップ１２の上面においては室内空気の巻きこみを防止でき、上下フラップ１２の意匠性を低下させることなく、冷房運転時の結露の発生を防止できる。
【００３５】
なお、上記実施の形態では、横溝２６、縦溝２７及びディンプル２８を、連結桟１６の二段折れ形状２３の部分の上面に設けたが、多段折れ形状２４、或いはラウンド形状２５の部分の上面に設けても同様の効果が得られることはいうまで無い。
【産業上の利用可能性】
【００３６】
以上のように、本発明にかかる空気調和機の室内機は、吹出風の風向を左右方向に変更する左右回転可能な複数の左右フラップを連結固定する連結桟を二段折れ形状としたことによって、上下フラップの結露の発生の防止が可能となるので、スポット冷房や冷風扇の用途にも適用できる。
【図面の簡単な説明】
【００３７】
【図１】本発明の実施の形態１における空気調和機の室内機の概略断面図
【図２】同空気調和機の室内機の左右フラップの部品図
【図３】同空気調和機の室内機の吹出し部の拡大断面図
【図４】同空気調和機の室内機の連結桟の拡大図
【図５】同空気調和機の室内機の連結桟の他の例を示す部分拡大図
【図６】同空気調和機の室内機の連結桟の他の例を示す部分拡大図
【図７】同空気調和機の室内機の連結桟の他の例を示す部分拡大図
【図８】同空気調和機の室内機の連結桟の他の例を示す部分拡大図
【図９】同空気調和機の室内機の連結桟の他の例を示す部分拡大図
【符号の説明】
【００３８】
１  室内機
２  ファンケース
３  スタビライザ
４  吸入グリル
５  室内空気
６  送風通路
７  送風ファン
８  熱交換器
９  側壁
１０  吹出口
１２  上下フラップ
１３  左右フラップ
１４  左右羽根
１６  連結桟
１７  嵌め込み穴
１８  羽根軸
１９  固定穴
２０  固定軸
２１  吹出風
２２  上方気流
２３  二段折れ形状
２４  多段折れ形状
２５  ラウンド形状
２６  横溝
２７  縦溝
２８  ディンプル
【図１】
2009109100.tif 000003
【図２】
2009109100.tif 000004
【図３】
2009109100.tif 000005
【図４】
2009109100.tif 000006
【図５】
2009109100.tif 000007
【図６】
2009109100.tif 000008
【図７】
2009109100.tif 000009
【図８】
2009109100.tif 000010
【図９】
2009109100.tif 000011